(57)【要約】【課題】筐体の横幅寸法を大きくすることなく、熱交換器の洗浄性を向上でき、しかもメンテナンスも容易な空気調和機を得る。【解決手段】  空気調和機１００は、筐体１０１と、該筐体に形成された吸込口１５と、前記筐体内に設けられた熱交換器１６と、この熱交換器と冷媒配管を介して接続される液ヘッダ及びガスヘッダと、前記吸込口から空気を吸い込んで前記熱交換器に通風させるための送風ファン９とを備える。前記液ヘッダとガスヘッダ、及び前記冷媒配管を、前記熱交換器と前記吸込口との間の一次側空間における熱交換器の前部左側、前部右側或いは下部側の何れかに纏めて配置すると共に、前記液ヘッダ及びガスヘッダの少なくとも何れかを前記熱交換器の前部に配置し、且つ前記冷媒配管、液ヘッダ及びガスヘッダを覆うカバー２５を設けている。【選択図】図１
2013181724.tif 000002
【特許請求の範囲】
【請求項１】
筐体と、該筐体に形成された吸込口と、前記筐体内に設けられた熱交換器と、この熱交換器と冷媒配管を介して接続される液ヘッダ及びガスヘッダと、前記吸込口から空気を吸い込んで前記熱交換器に通風させるための送風ファンとを備える空気調和機において、
前記液ヘッダと前記ガスヘッダ、及びこれらのヘッダに接続される前記冷媒配管を、前記熱交換器と前記吸込口との間の一次側空間における熱交換器の前部左側、前部右側或いは下部側の何れかに纏めて配置すると共に、
前記液ヘッダ及びガスヘッダの少なくとも何れかを前記熱交換器の前部に配置し、
且つ前記冷媒配管、液ヘッダ及びガスヘッダを覆うカバーを設けた
ことを特徴とする空気調和機。
【請求項２】
請求項１に記載の空気調和機において、前記熱交換器の一次側空間には更に膨張弁が設けられ、この膨張弁も前記熱交換器の前部左側、前部右側或いは下部側の何れかに配置されると共に、この膨張弁を覆うカバーを備えることを特徴とする空気調和機。
【請求項３】
請求項２に記載の空気調和機において、前記膨張弁は、前記液ヘッダと前記ガスヘッダ、及びこれらのヘッダに接続される前記冷媒配管と共に纏めて配置されていることを特徴とする空気調和機。
【請求項４】
請求項３に記載の空気調和機において、前記膨張弁、前記液ヘッダと前記ガスヘッダ、及びこれらのヘッダに接続される前記冷媒配管は、前記熱交換器の前部左側或いは前部右側の何れかに纏めて配置されていることを特徴とする空気調和機。
【請求項５】
請求項２に記載の空気調和機において、前記膨張弁は前記熱交換器の下部側に配置されていることを特徴とする空気調和機。
【請求項６】
請求項１〜５の何れかに記載の空気調和機において、前記カバーの下部には開口が形成され、カバー内の結露水を排出可能に構成していることを特徴とする空気調和機。
【請求項７】
請求項１〜６の何れかに記載の空気調和機において、前記熱交換器はその両側部にサイドプレートが設けられており、前記カバーは前記熱交換器のサイドプレートに取り外し自在に取り付けられ、且つ前記カバーの少なくとも一部は正面側または側面側から固定されていて、前記熱交換器の前方側から取り外し可能に構成されていることを特徴とする空気調和機。
【請求項８】
請求項７に記載の空気調和機において、前記カバーは、複数のカバー部材で構成され、これら複数のカバー部材が互いにビスで固定されることでカバー形状に構成されていることを特徴とする空気調和機。
【請求項９】
請求項７に記載の空気調和機において、前記カバーは一体成形でカバー形状に構成され、このカバーは前記熱交換器の前方側から取り外し可能に構成されていることを特徴とする空気調和機。
【請求項１０】
請求項１〜９の何れかに記載の空気調和機において、液ヘッダ及びガスヘッダが設けられている側とは反対側の前記熱交換器の側部に露出する冷媒配管を覆うカバーを、前記熱交換器側部に設けられたサイドプレートに着脱自在に取り付けていることを特徴とする空気調和機。
【請求項１１】
請求項１０に記載の空気調和機において、液ヘッダ及びガスヘッダが設けられている側とは反対側の前記熱交換器の側部に露出する冷媒配管を覆う前記カバーの下部にも、該カバー内の結露水を排出可能な開口が形成されていることを特徴とする空気調和機。
【発明の詳細な説明】
【技術分野】
【０００１】
本発明は空気調和機に関し、特に熱交換器を、水などを用いて洗浄することが可能な床置き型の空気調和機に関する。
【背景技術】
【０００２】
熱交換器を水などを用いて洗浄することが可能な床置き型の空気調和機としては、特開２００６−１０１７８号公報（特許文献１）や特開２０１０−１１７１０４号公報（特許文献２）に記載されているものなどが知られている。
【０００３】
上記特許文献１のものでは、熱交換器の両側に仕切り部材を設けて空間部を形成し、この空間部に冷媒配管や電気部品等を設置することにより、冷媒配管が汚れることを抑制し、また熱交換器を水洗いした場合でも電気部品等が濡れて絶縁不良等の不具合が発生することも回避できるようにしている。
【０００４】
また、上記特許文献２のものでは、冷媒配管設置空間部を熱交換器の二次側空間に設けると共に、前記冷媒配管設置空間部の一次側空間に面する箇所を塞ぎ板で塞ぐことにより、前記熱交換器を、水を用いて洗浄可能に構成している。
【先行技術文献】
【特許文献】
【０００５】
【特許文献１】特開２００６−１０１７８号公報
【特許文献２】特開２０１０−１１７１０４号公報
【発明の概要】
【発明が解決しようとする課題】
【０００６】
空気調和を行うために設置されている空気調和機は、その設置空間によって空気調和機内部が汚れやすい場合がある。例えば、食品工場等の粉塵が多い空間で使用される空気調和機の場合、空気調和機内部の通風路に設置されている熱交換器や冷媒配管等に粉塵が付着し易い。このため、空気調和機の能力低下を引き起こしたり、また、空気調和機内部の熱交換器等に粉塵が付着すると衛生上の問題も生じる。従って、空気調和機内部が汚れやすい環境で使用される空気調和機の場合、頻繁に空気調和機内部を洗浄する必要がある。
【０００７】
上記特許文献１のものでは、熱交換器の両側に仕切り部材を設けて空間部を形成し、この空間部に冷媒配管や電気部品等を設置することで、熱交換器を水洗いしても電気部品等の絶縁不良が発生するのを回避している。しかし、特許文献１のものでは、熱交換器の両側に仕切り部材を設けて空間部を形成し、この空間部に冷媒配管や電気部品等を設置する構成としているため、空気調和機を構成する筐体の横幅が大きくなってしまい、標準機とは異なる横幅の特殊仕様の空気調和機となる。即ち、特許文献１のものでは、空気調和機の洗浄性を向上するため、標準機とは別構造の洗浄用専用機としての空気調和機を製作する必要があった。
【０００８】
上記特許文献２に記載のものも、冷媒配管設置空間部を熱交換器の二次側空間に設け、ここに冷媒配管等を設置するようにしているため、空気調和機の正面側から見て冷媒配管等が熱交換器の裏側に配置される構造となる。このため、正面から冷媒配管等のメンテナンスがし難い構造になり、特許文献２のものにおいても、空気調和機の洗浄性を向上するため、標準機とは別構造の洗浄用専用機としての空気調和機を製作する必要があった。
【０００９】
本発明の目的は、筐体の横幅寸法を大きくすることなく、熱交換器の洗浄性を向上でき、しかもメンテナンスも容易な空気調和機を得ることにある。
【課題を解決するための手段】
【００１０】
上記目的を達成するため、本発明は、筐体と、該筐体に形成された吸込口と、前記筐体内に設けられた熱交換器と、この熱交換器と冷媒配管を介して接続される液ヘッダ及びガスヘッダと、前記吸込口から空気を吸い込んで前記熱交換器に通風させるための送風ファンとを備える空気調和機において、前記液ヘッダと前記ガスヘッダ、及びこれらのヘッダに接続される前記冷媒配管を、前記熱交換器と前記吸込口との間の一次側空間における熱交換器の前部左側、前部右側或いは下部側の何れかに纏めて配置すると共に、前記液ヘッダ及びガスヘッダの少なくとも何れかを前記熱交換器の前部に配置し、且つ前記冷媒配管、液ヘッダ及びガスヘッダを覆うカバーを設けたことを特徴とする。
【発明の効果】
【００１１】
本発明によれば、筐体の横幅寸法を大きくすることなく、熱交換器の洗浄性を向上でき、しかもメンテナンスも容易な空気調和機を得ることができる効果がある。
【図面の簡単な説明】
【００１２】
【図１】本発明の空気調和機の実施例１を示す正面図で、前カバーを除去して示す図。
【図２】図１に示す空気調和機の右側面図で、右脇カバーを除去して示す図。
【図３】図１に示す空気調和機の熱交換器と、この熱交換器に接続されている冷媒配管、ヘッダ及び膨張弁を示す正面図。
【図４】図３に示す熱交換器に対して、冷媒配管、ヘッダ及び膨張弁を覆うカバーの取り付け構造を説明する斜視図。
【発明を実施するための形態】
【００１３】
以下、本発明の空気調和機の具体的実施例を、図面を用いて説明する。各図において、同一符号を付した部分は同一部分を示している。
【実施例１】
【００１４】
図１は、本実施例の空気調和機の正面図であり、前カバー、吸込グリルを取り外した状態を示す。図２は前記図１の右側面図であり、右脇カバーを除去した状態を示す図である。また、図３は、図１に示す空気調和機の熱交換器と、この熱交換器に接続されている冷媒配管、ヘッダ及び膨張弁を示す正面図で、図１に示す左カバー、図２に示す右カバーを取り付ける前の状態を示す図である。また、図４は、図３に示す熱交換器に対して、前記冷媒配管、ヘッダ及び膨張弁を覆う左カバーや、前記熱交換器の右側面に露出する冷媒配管を覆う右カバーの取り付け構造を説明する斜視図である。
【００１５】
図１及び図２に示すように、本実施例の空気調和機１００は床置型であり、その筐体（キャビネット）１０１を構成する外郭は、前カバー１、吸込口１５に設置された吸込グリル２、右脇カバー３、左脇カバー４、天板５、後カバー６などにより構成されている。また、１９は、空気調和機１００の制御用電気部品が納められている電気品箱で、この電気品箱１９は、前記筐体１０１内の正面側右下に設置されている。
【００１６】
前記吸込口１５は、室内の空気を空気調和機１００内に吸い込むための開口で、前記空気調和機１００の正面側の中段に設けられている。この吸込口１５には吸込グリル２が、図２に示すように、取り付け、取り外し自在に設置されている。前記吸込口１５が位置する部分の前記筐体１０１内には、熱交換器１６が、手前側から奥側に向かって下方向に傾斜して配置されている。前記熱交換器１６は、多数のフィンと該フィンを貫通する多数の冷媒配管で構成され、この冷媒配管内を冷凍サイクルの冷媒が流れ、前記冷媒配管外側の前記フィン間を、前記吸込口１５から吸い込まれた空気が流れて、これら冷媒と空気が熱交換される。
【００１７】
空気調和機が冷房運転される場合、前記吸込口１５から吸い込まれた空気が前記熱交換器１６を通過する際に、該熱交換器１６の表面に結露水が発生する。この結露水は、前記熱交換器１６の下部に設置されているドレンパン２２により、ドレン水として捕集され、露受け２３を介してドレン受け２４に流れ、ここから排水路２４ａを介して外部に排水される。
【００１８】
空気調和機１００の筐体１０１上部には送風ファン９が設置されており、この送風ファン９は、ファンケーシング８、このファンケーシング８内に回転自在に設置されている羽根車を回転軸１１、ファンプーリ１２、ベルト１４及びモータプーリ１３を介して駆動するファンモータ１０などで構成されている。前記送風ファン９は前記筐体を構成する天板５に固定されている。なお、この天板５は、前記右脇カバー３、前記左脇カバー４及び前記後カバー６によって支持されている。
【００１９】
前記筐体１０１内は前記熱交換器１６により仕切られており、前記吸込口１５から取り込まれた空気の流れに対して、前記熱交換器１６の上流側を一次側空間、熱交換器１６の下流側を二次側空間とする。室内空気は、前記吸込口１５から筐体１０１内に吸い込まれ、前記熱交換器１６を通過後、前記送風ファン９により、該送風ファン９の吹出口１８から前記筐体１０１外に吹き出される。
【００２０】
図３により図１に示す熱交換器１６と、この熱交換器１６に接続される冷媒配管２１、ヘッダ３１，３２及び膨張弁２０の構成を説明する。２０は冷凍サイクルの循環冷媒量を調整する膨張弁、３１は液ヘッダ、３２はガスヘッダで、これらの冷凍サイクルを構成する機器は、本実施例では図３に示すように、熱交換器１６の前部の左側下部に配置されている。また、前記液ヘッダ３１及び前記ガスヘッダ３２と前記熱交換器１６とを接続している冷媒配管２１も前記膨張弁２０、液ヘッダ３１及びガスヘッダ３２と共に、前記熱交換器１６前部の左側下部に纏めて配置されている。即ち本実施例では、前記冷媒配管２１、膨張弁２０、液ヘッダ３１及びガスヘッダ３２は全て前記一次側空間に設置されている。
【００２１】
なお、図３において、１７は前記熱交換器１６の両側にそれぞれ設けられて前記冷媒配管２１が貫通するサイドプレートである。前記熱交換器１６の右側に設けられているサイドプレート１７には熱交換器１６を構成するフィンを貫通して右端でＵターンし、再び前記フィンを貫通する冷媒配管（図示せず）が露出している。
【００２２】
上記図３に示すように構成されている熱交換器１６は前記筐体１０１内に組み込まれて空気調和機１００が構成されているが、空気調和機１００が長時間運転されると、前記熱交換器１６のフィンや冷媒配管、或いは前記膨張弁２０や前記各ヘッダ３１，３２などに粉塵などが付着、堆積して汚れる。特に、粉塵が多い食品工場などで使用される空気調和機の場合、熱交換器１６などは短期間で汚れが進行する。そこで、ある程度汚れが進行する度に、熱交換器１６を洗浄する必要がある。
【００２３】
この熱交換器１６の洗浄は、前記前カバー１や前記吸込みグリル２を取り外し、前述した一次側空間側から水などを掛けて洗浄する。その際、前記一次側空間に設けられている前記膨張弁２０などに水が掛って絶縁不良等の不具合を引き起こさないように、前記膨張弁２０などを養生する（カバーなどで覆う）必要がある。また熱交換器１６周辺の前記冷媒配管２１は、形状が複雑で本数も多いため汚れが堆積し易く、洗浄もし難い。
【００２４】
そこで、本実施例では、前記熱交換器１６の洗浄性を向上させるため、前記膨張弁２０と前記熱交換器１６周辺の前記冷媒配管２１及び前記各ヘッダ３１，３２を覆うように左カバー（カバー）２５（図１参照）を設け、更に熱交換器１６の右側に露出するＵ字形状の冷媒配管も覆うように右カバー（カバー）２６（図２参照）を設けている。
【００２５】
また、本実施例では、前記筐体１０１の横幅を増大させずに、できるだけコンパクト化を図れるように、前記膨張弁（例えば電子膨張弁）２０、前記液ヘッダ３１及びガスヘッダ３２などを、前記熱交換器１６前部の左側下部に配置している。即ち、これらの機器を上記特許文献１に示すように、熱交換器の側部に配置し、仕切り部材で仕切る構成にすると、空気調和機１００を構成する筐体１０１の横幅が大きくなってしまうため、標準機とは異なる別構造の洗浄用専用機、即ち特殊仕様の空気調和機としなければならない。
【００２６】
これに対して本実施例では、上述したように、前記膨張弁２０、入口ヘッダ３１、出口ヘッダ３２及びこれらに接続される冷媒配管２１などを熱交換器１６の前の部分に配置するように構成している。このように構成することにより、空気調和機１００を構成する筐体１０１の横幅を大きくする必要がなくなるため、頻繁に前記熱交換器１６の洗浄を必要としない標準機との共用化も可能となる。
【００２７】
即ち、本実施例を採用することにより、頻繁な熱交換器の洗浄を必要としない用途に使用される標準機に対しては、前記カバー２５，２６を設置しない空気調和機とし、また頻繁な洗浄を必要とする用途に使用される洗浄対応機に対しては、前記標準機に対して前記カバー２５，２６を設置した空気調和機とするだけで良い。
【００２８】
なお、前記熱交換器１６と前記各ヘッダ３１，３２を接続する前記冷媒配管２１は、前記熱交換器１６の左側部から前方に延び、前記各ヘッダ３１，３２や前記膨張弁２０と共に、前記熱交換器１６前部の左側下部に纏めて配置されているが、本発明はこれには限定されず、前記冷媒配管や膨張弁は、前記熱交換器と前記吸込口との間の一次側空間における熱交換器の前部左側、前部右側或いは下部側の何れかに纏めて配置するように構成すれば良い。また、前記液ヘッダ３１、ガスヘッダ３２及び前記膨張弁２０の全てを前記熱交換器１６の前部に纏めて配置する必要はない。例えば、前記膨張弁２０の数が４個以上と多いような場合には、前記熱交換器１６の下部側に膨張弁２０のみ単独で配置する。また、前記ヘッダ３１，３２、及びこれらのヘッダ３１，３２と熱交換器１６とを接続する冷媒配管２１は、熱交換器１６の前部の左右何れかの側に纏めて配置するようにしても良い。このように、前記冷媒配管や膨張弁等を複数個所に分けて配置しても良い。
【００２９】
更に、前記液ヘッダ３１及びガスヘッダ３２の少なくとも何れかを前記熱交換器１６の前部に配置すれば、一方のヘッダ３１または３２は熱交換器１６の横幅の範囲から外れても、他方のヘッダは熱交換器の横幅の範囲内に配置されているため、空気調和機１００を構成する筐体１０１の横幅をほとんど大きくする必要はない。従って、標準機との共用化は可能であり、このような形態でも本発明の範疇に含まれるものである。
【００３０】
本実施例では、冷媒配管２１、各ヘッダ３１，３２及び膨張弁２０を、熱交換器１６の前部左側、或いは前部右側などに纏めて配置しているので、熱交換器１６への風路を十分に確保することができる。また、本実施例では前記各ヘッダ３１，３２、前記膨張弁２０及び前記冷媒配管２１などを覆うように前記左カバー２５を設けているので、熱交換器１６を洗浄する時の水が前記膨張弁２０などに掛るのを防ぐことができ、膨張弁等が濡れて絶縁不良等の不具合が発生するのを回避できる。この結果、前記熱交換器１６の洗浄を容易に行うことができ、熱交換器の洗浄性を向上できる。
【００３１】
また、本実施例では、前記冷媒配管２１、前記各ヘッダ３１，３２及び前記膨張弁２０を覆う左カバー２５と、熱交換器１６の右側部に露出する冷媒配管を覆う前記右カバー２６を設けているので、これらの冷媒配管２１や、前記各ヘッダ３１，３２或いは前記膨張弁２０などに、前記吸込口１５から吸い込まれた空気が直接当たるのを防止できる。この結果、吸込み空気中に含まれる粉塵などが、前記冷媒配管２１、前記各ヘッダ３１，３２、前記膨張弁２０などに堆積するのを抑制できる効果もある。
【００３２】
前記熱交換器１６の左側の冷媒配管２１は形状が複雑で数も多いため、汚れが付着するとその洗浄が大変難しい。また、前記熱交換器１６の右側の冷媒配管も数が多く汚れが付着するとその洗浄がし難いが、上述したように本実施例では、これらの冷媒配管をカバー２５，２６で覆っているので、吸込み空気中に含まれる粉塵などが、前記冷媒配管などに堆積するのを抑制でき、これらの洗浄頻度を大幅に低減できる。
【００３３】
次に、図４により、前記左カバー２５及び前記右カバー２６の取り付け構造について説明する。  
前記左カバー２５は、上記図３に示す前記熱交換器１６の左側の冷媒配管２１と、前記熱交換器１６前部の左側下部に配置されている前記液ヘッダ３１、ガスヘッダ３２及び電磁膨張弁２０を覆うように設置されている。また、前記右カバー２６は、前記熱交換器１６の右側の冷媒配管を覆うように設置されている。
【００３４】
まず、前記左カバー２５の取り付け構造について説明する。前記左カバー２５は、符号２５ａ，２５ｂ，２５ｃ，２５ｄで示す４個のカバー部材から構成されており、カバー部材２５ａは、熱交換器１６の左側に設置したサイドプレート１７にビス３０で上面側、後方側から固定されている。また、カバー部材２５ｂは、前記サイドプレート１７にビス３０で側面側から固定し、正面側から前記カバー部材２５ａとビス３０で固定されている。カバー部材２５ｃは、熱交換器１６の左側の前記サイドプレート１７に、ビス３０で側面側から固定され、正面側からカバー部材２５ａとビス３０で固定されている。カバー部材２５ｄは、カバー部材２５ｂ，２５ｃとビス３０で正面側及び側面側から固定されている。
【００３５】
次に、前記右カバー２６の取り付け構造について説明する。前記右カバー２６は、熱交換器１６の右側のサイドプレート１７に、ビス３０により、正面側、上面側及び後方側から固定されている。  
なお、上記左カバー２５及び右カバー２６の下部には開口（図示せず）が形成されており、カバー内で発生する結露水を下方のドレン受け２４やドレンパン２２側に排出できるように構成されている。
【００３６】
前記左カバー２５のカバー部材２５ｂ，２５ｃ，２５ｄは、ビス３０で正面側または側面側から固定されており、図２に示す吸込みグリル２を取り外すことにより、前記左カバー２５のカバー部材２５ｂ，２５ｃ，２５ｄを容易に取り外すことができるように構成されている。これにより前記膨張弁２０等のメンテナンスを容易に行うことが可能となる。
【００３７】
また、前述したように、前記熱交換器１６付近の前記冷媒配管２１は形状が複雑かつ数も多いため、汚れが付くと洗浄し難い。これに対し、本実施例では図４に示すように、前記カバー部材２５ａ，２５ｂ，２５ｃ，２５ｄで構成された前記左カバー２５により、前記冷媒配管２１等が覆われることにより、前記吸込口１５から前記筐体１０１内に吸い込まれた室内空気が、直接、前記冷媒配管２１や、前記膨張弁２０及び前記各ヘッダ３１，３２などに当たらない。このため、前記吸込空気に含まれている粉塵や埃などが、前記左カバー２５内に設置されている冷媒配管や膨張弁等に付着して堆積するのも防止できる。
【００３８】
前記熱交換器１６の右側の冷媒配管についても、その数が多く汚れが付着すると洗浄し難いが、本実施例では、前記右カバー２６も設けて前記冷媒配管を覆っているので、前記冷媒配管に粉塵や埃などが付着、堆積するのを同様に防止できる。
【００３９】
なお、本実施例では、前記左カバー２５は、複数（この例では４個）の金属製のカバー部材２５ａ，２５ｂ，２５ｃ，２５ｄで構成され、これら複数のカバー部材がビスで固定されることでカバー形状に構成されている例を説明したが、これに限られるものではなく、前記膨張弁２０、各ヘッダ３１，３２及び冷媒配管２１等のメンテナンスが可能な構造であれば良い。例えば、前記左カバー２５は、防水性及び好ましくは耐熱性のあるプラスチック（可撓性のものでも良い）などによる一体成形品でカバー形状に構成し、この一体成形品のカバーを前記熱交換器の前方側から取り外し可能に構成したものでも良い。
【００４０】
また、前記右カバー２６は金属の単一品で構成している例を示しているが、熱交換器１６の右側部に露出する冷媒配管をメンテナンス可能なものであれば良く、前記左カバー２５と同様に、防水性及び好ましくは耐熱性のあるプラスチックなどで構成したものでも良い。
【００４１】
更に、上記実施例では、冷媒配管２１や各ヘッダ３１，３２、及び膨張弁２０を一つの左カバー２５で覆うように構成したが、前記左カバー２５を複数、例えば二つのカバーに分けて、冷媒配管２１と前記ヘッダ３１，３２を一つのカバーに収容し、前記膨張弁２０は別のカバーに収容するように別々のカバーに収容するように構成しても良い。
【００４２】
また、上記実施例では、左側に設けたカバー２５内に前記冷媒配管２１、各ヘッダ３１，３２及び膨張弁２０などを収容する例を説明したが、前記冷媒配管２１、各ヘッダ３１，３２及び膨張弁２０などが熱交換器１６の右側に配置される場合には、右側に設けたカバーでこれらの機器などを収容することになる。即ち、前記カバー２５と前記カバー２６は上記実施例に対して左右反対側に配置されることもある。
【００４３】
以上説明した本実施例の空気調和機によれば、液ヘッダとガスヘッダ、及びこれらのヘッダに接続される冷媒配管を、熱交換器と吸込口との間の一次側空間における前記熱交換器の前部左側、前部右側或いは下部側の何れかに纏めて配置すると共に、前記液ヘッダ及びガスヘッダの少なくとも何れかを前記熱交換器の前部に配置し、且つ前記冷媒配管、液ヘッダ及びガスヘッダを覆うカバーを設けているので、筐体の横幅寸法を大きくすることなく、熱交換器の洗浄性を向上でき、しかも膨張弁などのメンテナンスも容易な空気調和機を得ることができる。
【００４４】
また、本実施例の空気調和機によれば、筐体の横幅寸法を標準機と同様の横幅にすることが可能となるから、標準機と共用化することが可能になり、標準機に対して上述したカバーを設けるという簡易な部品設置で洗浄性を向上することが可能な空気調和機を得ることができる効果がある。
【符号の説明】
【００４５】
１：前カバー、２：吸込みグリル、
３：右脇カバー、４：左脇カバー、
５：天板、６：後カバー、７：底ベース、
８：ファンケーシング、９：送風ファン、１０：ファンモータ、
１１：回転軸、１２：ファンプーリ、１３：モータプーリ、１４：ベルト、
１５：吸入口、
１６：熱交換器、１７：サイドプレート、
１８：吹出口、
１９：電気品箱、
２０：膨張弁、
２１：冷媒配管、
２２：ドレンパン、２３：露受け、
２４：ドレン受け、２４ａ：排水路、
２５，２６：カバー（２５：左カバー、２５ａ，２５ｂ，２５ｃ，２５ｄ：カバー部材、２６：右カバー）、
３０：ビス、
３１，３２：ヘッダ（３１：液ヘッダ、３２：ガスヘッダ）、
１００：空気調和機、１０１：筐体（キャビネット）。
【図１】
2013181724.tif 000003
【図２】
2013181724.tif 000004
【図３】
2013181724.tif 000005
【図４】
2013181724.tif 000006